(57)【要約】【課題】室内や廊下で半開きにしたカーテンで内部に太陽光を充分取り入れられず、更に完全にカーテンを閉じれば室内や廊下が暗くなり不快感がでることが多かった。太陽光をできるだけ取り入れ、更に太陽光の眩しさを和らげることができる窓開口遮光装置を提供すること。【解決手段】眩しい太陽光をピンポイントで遮光するためには、カーテンレールの左右任意の位置に上側掛具を用いて、一定の間隔の被取付部を有する吊部材を垂直に掛け、遮光シートを吊持した水平部材である水平棒の中央に取り付けた下側掛具を、吊部材の上下いずれかの位置に設置することにより季節または朝夕と眩しい太陽光の位置が変わっても、眩しい太陽光の部分を遮光シートで上下左右に自由に調整することにより、上記課題を解決するものである。【選択図】  図１
2011032754.tif 000002
【特許請求の範囲】
【請求項１】
眩しい太陽光をピンポイントで遮光する窓開口遮光装置であって、窓の上部の左右任意の位置に引っ掛ける上側掛具を上端に有し、複数の長手方向に長い被取付部を有する吊部材と、この吊部材の複数の被取付部の上下いずれかの位置に移動可能に取付けられる取付部を有する水平部材と、この水平部材に垂下されて眩しい太陽光を遮光する遮光シートを備えたことを特徴とする窓開口遮光装置。
【請求項２】
窓開口遮光装置は、水平部材に遮光シートを着脱自在に垂下した請求項１記載の窓開口遮光装置。
【請求項３】
窓開口遮光装置の遮光シートは、眩しい太陽光を遮光する目的と同時に、外部からの
太陽光は遮光シートの裏側から光を当てることで遮光シートの絵柄によって芸術的な
派生効果をつくり出す事ができる請求項１、２記載の窓開口遮光装置。
【発明の詳細な説明】
【技術分野】
【０００１】
本発明は、窓の開口部に装備される窓開口遮光装置に関する。
【背景技術】
【０００２】
一般的に、窓開口部Xを遮光するものとしては、カーテンTとレースのカーテン
Ta、更には上下動するブラインドが知られている。  而して前者のカーテンTにお
いては、その太陽光が眩しい時に、カーテンTを閉めると室内が暗くなり、室内や
廊下で照明器具を点灯することとなる。
他方、後者のブラインドにおいても同様に上下動、或は遮光板の角度を調整して採
光することとしている。  而して、カーテンTの透明度を変えれば、採光調整は可
能であるが、太陽光は一定ではない。季節によって、更に、朝夕と太陽光は異なる。
勿論ブラインドは採光調整可であるが、一般家庭の廊下や室内では感性の点から敬
遠されている。特開２００１−３７６２３、実用新案登録第３１０３１６７号は、
遮光装置は固定されたものである。
【先行技術文献】
【特許文献】
【０００３】
【特許文献１】特開２００１−３７６２３
【特許文献２】実用新案登録第３１０３１６７号
【発明の開示】
【発明が解決しようとする課題】
【０００４】
解決しようとする問題点は、室内や廊下にいて窓開口部Xは、レースのカーテンTa
だけでは太陽光の眩しさはふせげない。  眩しい太陽光を遮光するために、一部閉
じたカーテンTでは内部に和らいだ太陽光を充分に取り入れられず、更に完全にカ
ーテンTを閉じれば室内と廊下が暗くなり不快感がでることが多かった。  従来の
固定されたものではすべて、必要以上に太陽光を遮光することになる。
本発明の目的は、季節により、また日中の時間帯により、窓開口部Xに差し込む太陽光の眩しい位置が違ってくるので、窓開口部Xの上下左右どの位置に眩しい太陽光が差し込んでも、眩しい部分のみをピンポイントで和らげると同時に窓開口部Xに、和らいだ太陽光を出来るだけ沢山取り入れることができる窓開口遮光装置を提供すること。
【課題を解決するための手段】
【０００５】
眩しい太陽光をピンポイントで遮光する窓開口遮光装置であって、窓の上部の左右任
意の位置に引っ掛ける上側掛具1を上端に有し、複数の長手方向に長い被取付部を有
する吊部材2と、この吊部材2の複数の被取付部の、上下いずれかの位置に移動可能
に取り付けられる取付部を有する水平部材4と、この水平部材に垂下されて眩しい太
陽光を遮光する遮光シート5を備えることである。
【０００６】
複数の被取付部を有する吊部材2は、眩しい太陽光が窓開口部に差し込む位置が、日中の朝夕の時間帯または季節によって違うので、遮光シート5を眩しい太陽光に合わせて上下左右に移動し設置するためには、上側掛具1により窓の上部左右の任意の位置に、容易に着脱でき、同時に下側掛具3により上側掛具1につながる複数の、被取付部の上下いずれかの位置に着脱できることで眩しい太陽光を和らげることができる。
【０００７】
窓開口遮光装置は、窓開口部全体から柔かい太陽光が感じられるための装置であって、
遮光シート5を設置して室内や廊下が暗く重い雰囲気にならない様に、遮光シート5の素材、大きさ、絵柄を選ぶことである。
【発明の効果】
【０００８】
本発明は、カーテンレールの左右任意の位置に上側掛具1を用いて、一定の間隔の引掛部材2aを鎖状に連結して形成した吊部材2を垂直に掛け、そこに上端に水平部材4に吊持した遮光シート5を下側掛具3で取り付ける。即ち、被取付部である引掛部材2aからなる吊部材2の上下いずれかの位置に取り付け、眩しい太陽光をピンポイントで遮光するために自由に高さを調整し、さらに、上側掛具1は左右任意の位置に移動できる。これにより、カーテンTが全開で、眩しい太陽光が窓開口部Xの上下左右いずれの部分に差し込んでも柔軟な遮光シート5の上下位置及び左右位置を任意に調整して太陽光の眩しさを遮光して、窓開口部X全体に和らいだ太陽光を取り入れることができ、室内や廊下の点灯の必要性が無くなる。またシート部分の絵柄によって、芸術的雰囲気がでて快適である。窓開口枠Yのレールの左右任意の位置に着脱自在に上側掛具を取り付けることが容易である。
【図面の簡単な説明】
【０００９】
【図１】本発明に係る一実施の形態の窓開口遮光装置を使用した窓の斜視図
【図２】窓開口遮光装置の分解図
【図３】同上の組立てた状態を示す正面図
【図４】遮光シートの上下方向の移動を示す斜視図（実施例１）
【図５】遮光シートの水平方向及び上下方向の移動を示す斜視図（実施例２）
【図６】太陽光が差し込んで遮光シートが影絵、３Ｄアートの雰囲気になった写真
【発明を実施するための形態】
【００１０】
以下、本発明を実施例として挙げた図面に基づいて説明すると、図１は窓開口遮光装置を示す斜視図で、図２は詳しい分解図である。
窓開口部Xは金属製の窓開口枠Yと、更にガラスZとで成している。又、窓開口部Xは、必要に応じ遮光用のカーテンTとレースのカーテンTaを備えている。  而して、上記窓開口部Xには窓開口遮光装置を装備する。
具体的には、窓開口遮光装置は、窓開口枠Y上部の左右任意の位置に引っ掛けた上側掛具1と固定した被取付部として一定間隔の引掛部材2aを鎖状に連結して形成した吊部材2と、この引掛部材2aの上下いずれかの位置に取り付けられる下側掛具3と、更にこの下側掛具3に備えられた棒を用いた水平部材4と、遮光シート5で成している。
【００１１】
上側掛具1は、カーテンレールの左右任意の位置に取り付ける場合は、カーテンレールへの負担を考えて、軽量化を計り、金属よりも軟らかく軽いプラスチック製の掛具を使用することで取り付けが容易である。また図1のように、カーテンレールがボックスの中に入っている場合は、上側掛具1はボックスの上部に引っ掛けられるので、ボックスに合わせた金属製の上側掛具1にすることで窓開口遮光装置の重量感と安定感を感じることになる。
【００１２】
被取付部を有する吊部材2は、細く長いテープに一定間隔に被取付部を備えたもの、吊部材2をスライドにして取付部を取り付け、高さを調整できるもの、更に、軽量のプラスチックの鎖が考えられるが、本発明の遮光シート5を下側掛具3で吊部材2の上下いずれかの位置に設置し易く、同時に遮光シート5と調和のとれたデザインとして、また、窓開口遮光装置全体の軽量化を考えて、被取付部である引掛部材2aは堅い綿ロープで小さい輪を複数作り、この複数の小さい輪である引掛部材2aを連結して丈夫な吊部材2とする。
【００１３】
上下いずれかの位置に取り付ける下側掛具3は、遮光シート5の外側に設置してあるレースのカーテンTaを引っ掛けて傷めない様にロープの太さと引掛部材2aである小さい輪に合わせた大きさにする。また下側掛具3はクリップを使用できる。水平部材4と被取付部をクリップで挟み、取り付けることで更に窓開口遮光装置の安定感が増す。水平部材4として使用する水平棒4とのつなぎ部分は、水平棒4に垂下する遮光シート5を左右安定に保つために、水平棒4の中央に下側掛具3を固定した。またこの水平棒4は軽量化を計り、遮光シート5の安定性も考慮した直径のものを使用し、これによりカーテンレールにかかる負担を少なく更に窓開口部XのガラスZに当たっても壊れることはない。
【００１４】
本発明の窓開口遮光シート5は、窓開口部Xの面積に合わせて水平部材4の長さを変え、遮光シート5の面積も変えられ、また、水平部材4に遮光シート5を着脱自在に垂下した。
【００１５】
遮光シート5は、窓開口の全面ではなく部分的に太陽光の眩しい位置に装備される、即ち小面積となっている。  即ち窓開口枠幅Yaに対し、遮光シート5の横幅5aが短くなっている。勿論、窓開口枠高さYb、遮光シート縦の長さ5bについても同様に短くなっている。而して、上記遮光シート5の横幅5a、縦の長さ5bを窓開口部Xの面積により変化させることにより採光を自由に調整できることとなる。  
【実施例１】
【００１６】
次に本発明窓開口遮光装置の使用順序を説明すると、図4は午前から夕方にかけて太陽光の位置が窓開口部Xの上部に眩しい時、更に太陽光が地上のコンクリート又は建物や屋根に反射して眩しい部分に窓開口遮光装置を設定したものである。
【実施例２】
【００１７】
図5は午後に太陽光の位置が窓開口部の中央部に眩しい時、更に太陽光が地上のコンクリート又は建物や屋根に反射して眩しい部分に窓開口遮光装置を設定したものである。
【実施例３】
【００１８】
複数の引掛部材2aである小さい輪からなる吊部材2は、遮光シート5の絵柄と見た目にも調和のとれた快適さを求めて、堅い綿ロープで小さい輪を複数連結して鎖状にした。 この堅い小さい輪を連結したことで、丈夫な吊部材2にし、窓開口遮光装置全体の重量と、それに対するひずみでできる引掛部材2aである小さい輪の鎖状にした部分の型くずれを防止した。連結の仕方は、小さい輪と小さい輪を布テープで小さい輪のつなぎ目を覆って巻き縫いつける。また図1の様にカーテンレールがボックスの中に入っている場合は、窓開口遮光装置全体の重量のカーテンレールへの負担を考えなくてもいいので、吊部材2はプラスチック製、金属製、木製を使用できる。
【実施例４】
【００１９】
上側掛具1は、カーテンレールの左右任意の位置に引っ掛けるので、カーテレールへの負担を考えて、軽量化を図り、金属よりも軟らかく軽いプラスチック製Ｓ字掛具を使用することで、取り付けが容易である。又図1のように、カーテンレールがボックスの中に入っている場合は、上側掛具1はボックスの上部に引っ掛けられるので、ボックスに合わせた金属製の上側掛具1にすることで、窓開口装置の重量感と安定感を感じることになる。
又、上下いずれかの位置に取り付ける下側掛具3は、遮光シート5の外側に設置してあるレースのカーテンTaを、ひっかけて傷めない様にロープの太さと引掛部材2aである小さい輪に合わせた大きさにする。又、下側掛具3は、水平部材4である水平棒と、被取付部に容易に着脱できるものとして、クリップで固定させると遮光シート5の安定性が増す。水平部材4としてのつなぎ部分は、水平棒に垂下する遮光シート5を左右安定に保つために水平棒の中央に固定した。水平棒に関しては軽量化を図り、遮光シート5の安定性も考慮して直径２ｃｍ〜３ｃｍのプラスチックの棒を使用した。これによりカーテンレールにかかる負担を少なく、更に窓開口部Xのガラスに当っても壊れない。
【実施例５】
【００２０】
窓開口枠の高さYb 1.85ｍ、横幅Ya 1.9ｍの窓開口部Xには、遮光シート5の大きさ遮光シート縦 5b 0.7ｍ、横幅5a 1.0ｍ、を設置した。また、窓開口枠の高さYb 1.85ｍ、横幅Ya 3.4ｍの窓開口部Xには、遮光シート5の大きさ遮光シート縦 5b 0.7ｍ、横幅5a 1.5ｍ、を設置した。
前記窓開口部Xに設置した遮光シート5により、窓開口部Xの眩しい太陽光を和らげて室内や廊下に太陽光を取り入れる事ができる。  
更に窓開口枠Yの横幅Yaが広くなる場合は、水平部材4である水平棒を窓開口Yの横幅Yaに合わせた長さにし、遮光シートの設置を安定にするために、水平棒4を3等分した位置の2か所に下側掛具3を固定し、上側掛具1、吊部材2もそれぞれ追加設置する。遮光シート5は、無地の布地に字または絵を書いて、個性的な雰囲気をつくり、更に風景等の絵柄があるものは、絵画的な雰囲気を感じ快適である。
【実施例６】
【００２１】
遮光シート5は、窓開口部全体から和らいだ太陽光を、室内や廊下に取り入れるための装置であって、遮光シートを設置して室内や廊下が、暗く重い雰囲気にならない素材としては、眩しい太陽光を和らいだ太陽光に調整できる布地として、好ましくは、綿、ポリエステル、ウールの織布、紙、プラスチック製のフィルム又はシートを用いることができる。絵柄としては、好みであるが、図6の様に黒色、濃紺色の生地は、太陽光を透す素材ならば、明度の高い色や蛍光色を彩色した絵柄と組み合わせる事により影絵、３Ｄアートの雰囲気を楽しめる。
【実施例７】
【００２２】
遮光シート5は、スナップまたはファスナーを利用して水平部材4である水平棒に取り付けてあるので、水平部材4から着脱容易である。因って、絵柄の取り換え、洗濯が可能である。
【符号の説明】
【００２３】
X    窓開口部
Y    窓開口枠
Ya   窓開口枠横幅
Yb   窓開口枠高さ
Z    ガラス
T    カーテン
Ta   レースのカーテン
1    上側掛具
2    吊部材
2a   引掛部材
3    下側掛具
4    水平部材  
5    遮光シート
5a   遮光シート横幅
5b   遮光シート縦の長さ
【図２】
2011032754.tif 000003
【図４】
2011032754.tif 000004
【図５】
2011032754.tif 000005
【図１】
2011032754.tif 000006
【図３】
2011032754.tif 000007
【図６】
2011032754.tif 000008
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
室内や廊下に於いて、日中の時間帯または季節により差し込む位置の異なる太陽光の眩しい光を和らいだ太陽光に調整できる布地で遮光することにより、和らいだ太陽光を室内や廊下に取り入れる遮光装置であって、更に太陽光が地上のコンクリートや建物や屋根に反射して、眩しい部分にも設置出来る様に窓の上部の左右任意の位置に引っ掛ける為に、金属より軟らかく軽い重量の素材の上側掛具1を上端に有し、それにつながる同じく軽量化した素材の被取付部を複数有する吊部材2、更に吊部材2の上下いずれかの位置に取り付ける取付部は、吊部材2に合わせた大きさとし、それを中央に有する水平部材4に遮光シート5の上部を合わせて巻き留めて弛みなく垂下し、和らいだ太陽光に調整できる遮光シート5の寸法を窓開口枠の高さYb、横幅Yaのほぼ半分に設定し、備えたことを特徴とする窓開口遮光装置。
【請求項２】
前記水平部材4に前記遮光シート5を着脱容易にし、垂下した請
求項1記載の窓開口遮光装置。
【請求項３】
前記遮光シート5は、眩しい太陽光を和らいだ太陽光に調整できる布地に黒色、濃紺色と明度の高い色、蛍光色を彩色した絵柄と組み合わせる事で影絵、３Ｄアートの雰囲気を生じる請求項1または請求項2記載の窓開口遮光装置。
【手続補正２】
【補正対象書類名】明細書
【補正対象項目名】０００５
【補正方法】変更
【補正の内容】
【０００５】
室内や廊下に於いて、日中の時間帯または季節により差し込む位置の異なる太陽光の眩しい光を和らいだ太陽光に調整できる布地で遮光することにより、和らいだ太陽光を室内や廊下に取り入れる遮光装置であって、更に太陽光が地上のコンクリートや建物や屋根に反射して眩しい部分にも設置出来る様に、窓の上部またはカーテンレール上の左右任意の位置に引っ掛ける為に、金属よりも軟らかく軽い重量の素材の上側掛具1を上端に有し、それにつながる同じく軽い重量の素材の被取付部を複数有する吊部材2、更に吊部材2の上下いずれかの位置に取り付ける取付部は、吊部材2に合わせた大きさとし、それを中央に有する水平部材4である水平棒に遮光シート5の上部を合わせて巻き留めて弛みなく垂下し和らいだ太陽光に調整できる遮光シート5の寸法を窓開口枠の高さYｂ横幅Yaのほぼ半分に設定することである。
【手続補正３】
【補正対象書類名】明細書
【補正対象項目名】０００６
【補正方法】変更
【補正の内容】
【０００６】
前記水平部材4に、前記遮光シート5を着脱容易に垂下した事で遮光シートの取り替えが可能である。
【手続補正４】
【補正対象書類名】明細書
【補正対象項目名】０００７
【補正方法】変更
【補正の内容】
【０００７】
前記遮光シート5は、眩しい太陽光の部分を遮光することで、遮光シートから和らいだ光を得る為の装置であって、遮光シート5を設置して室内や廊下が暗く重い雰囲気にならない様に、遮光シート5の素材と大きさを選ぶことと、更に派生効果としての絵画的、芸術的な雰囲気を高める為に絵柄と彩色を選ぶことである。